(57)【要約】【課題】文字や図形をスキャンするだけで音声をスピーカ装置から再生し、閲読と教育、娯楽の機能を達成できる、ボイスペンを提供すること。【解決手段】光学読取装置にエンコード済みの網状模様図案を組み合わせ、プロセッサユニットが網状模様図案をスピーカ装置で音声方式によって出力することができ、且つ接続ポート、音源コネクタ、音声受信装置が設けられ、データのアクセス、マルチメディア再生装置外部接続、録音等の機能を備えている。【選択図】図２
0003141326.tif 000002
【実用新案登録請求の範囲】
【請求項１】
回路板、光学読取装置、上外蓋、下外蓋を含んで成るボイスペンであって、
前記回路板上にプロセッサユニット、給電装置、スピーカ装置、音源コネクタ、接続ポート及び音声受信装置が設置され、
前記光学読取装置が前記ボイスペンの一端に設置され、印刷物表面に印刷された網状模様図案を読み取り、前記プロセッサユニットを介してデータを判読した後、予め設定された音声を前記スピーカ装置から再生出力することが可能に構成され、
前記上外蓋上に複数の制御ボタンが設置され、
前記下外蓋上にリセットボタンが設置され、
前記複数の制御ボタンがリピートボタンを含み、任意の音声を繰り返し再生することができるよう構成したことを特徴とする、
ボイスペン。
【請求項２】
前記ボイスペン内に設置された音声受信装置が、重要な会議や会話記録、個人記録等の音声保存機能を具備することを特徴とする、請求項１に記載のボイスペン。
【請求項３】
前記光学読取装置が、予めエンコードされた網状模様図案を読み取り、前記エンコードされた網状模様図案が予めプロセッサユニットに保存され、前記光学読取装置がエンコードされた網状模様図案を読み取った後、前記プロセッサユニットが対応する同じエンコードの音声をスピーカ装置で再生し、且つ、エンコードの異なる変化を通して多種類の言語に切り換えられることを特徴とする、請求項１に記載のボイスペン。
【請求項４】
前記光学読取装置が、ブルートゥース、赤外線、電磁波等、関連の信号のスキャン、受信、識別が可能なものであることを特徴とする、請求項１に記載のボイスペン。
【請求項５】
前記給電装置が、ニッケル水素電池、アルカリ電池、水銀電池、ニッケルカドミウム電池、リチウム電池、リチウムポリマー電池、乾電池等、関連の電力を供給できるものであることを特徴とする、請求項１に記載のボイスペン。
【請求項６】
前記接続ポートがＵＳＢコネクタであることを特徴とする、請求項１に記載のボイスペン。
【考案の詳細な説明】
【技術分野】
【０００１】
本考案はボイスペンに関し、特に文字や図案を音声に変換して再生するボイスペンに関するものである。
【背景技術】
【０００２】
現在、科学技術の進歩とネットワーク情報の発達が著しいが、書籍はやはり大きなデータソースである。
従来の書籍においては紙に保存された資料や図、文章に限りがあり、且つ書籍を置いておくために相当の空間が必要であることから、いわゆる電子書籍が登場している。
図１に示すように、一般的な電子書籍１は、閲読者が電子書籍１上の文字や図案を閲覧できるほか、センサーペン１１で電子書籍１上の文字や図案を選択して触れると、電子書籍１が図案や文字を音声再生方式で表現することで、使用者が閲読する上での利便性と機能性を向上している。
この類の電子書籍は、従来の書籍の欠点を解決してはいるものの、前記電子書籍１とセンサーペン１１間を伝送ケーブルで接続する必要があり、またその使用長さが制限されるだけでなく、伝送ケーブルを長期間使用すると引っ張られたり絡まったりして電子書籍１とセンサーペン１１間の接触不良を招きやすい。
さらには伝送ケーブルの脱落や破損等が発生することもある。
また、前記センサーペン１１そのものは電子書籍１と分けて使用することができないだけでなく、電子書籍１に対してポインティング選択機能を有するのみである。
このため、上述した問題をいかに排除するかが、本考案の解決する技術的課題である。
【考案の開示】
【考案が解決しようとする課題】
【０００３】
本考案は上述した欠点に鑑みて成されたもので、本考案は文字や図案を音声方式で表現することができるボイスペンを提供するものである。
【０００４】
本考案の主な目的は、回路板と、光学読取装置と、上外蓋と、下外蓋を含むボイスペンであって、前記回路板上にプロセッサユニット、給電装置、スピーカ装置、音源コネクタ、接続ポート及び音声受信装置が設置され、前記光学読取装置がボイスペンの一端に設置され、印刷物の表面に印刷された網状模様図案を読み取ることができ、且つ、前記プロセッサユニットを介してデータを判読した後、予め設定された音声をスピーカ装置から再生し、前記上外蓋上には複数の制御ボタンが設置され、前記下外蓋上にはリセットボタンが設置され、そのうち、前記複数の制御ボタンがリピートボタンを含み、任意の音声を繰り返し再生することができる、ボイスペンを提供することにある。
このボイスペンはその一端に設置された光学読取装置によりエンコード済の文字や図形をスキャンし、プロセッサユニットにより予め保存されたエンコード文字または図形に対応する音声をスピーカ装置から再生し、閲読と教育、娯楽の機能を達することができる。そのうち、前記ボイスペンは少なくとも５カ国語を発することができるものとする。
【０００５】
本考案の別の目的は、前記ボイスペンに接続ポートを設置し、外部データにアクセスすることができ、また、音声受信装置を設置して音声を保存する機能を提供し、且つ、音源コネクタを設けてその他イヤホンやスピーカ等のマルチメディア再生装置と外部接続し、ボイスペン内に保存された音声を再生することができる、ボイスペンを提供することにある。そのうち、前記複数の制御ボタンはリピートボタンを含み、任意の音声を繰り返し再生することができる。
【課題を解決するための手段】
【０００６】
すなわち、本願の第１の考案は、回路板、光学読取装置、上外蓋、下外蓋を含んで成るボイスペンであって、前記回路板上にプロセッサユニット、給電装置、スピーカ装置、音源コネクタ、接続ポート及び音声受信装置が設置され、前記光学読取装置が前記ボイスペンの一端に設置され、印刷物表面に印刷された網状模様図案を読み取り、前記プロセッサユニットを介してデータを判読した後、予め設定された音声を前記スピーカ装置から再生出力することができ、前記上外蓋上に複数の制御ボタンが設置され、前記下外蓋上にリセットボタンが設置され、そのうち、前記複数の制御ボタンがリピートボタンを含み、任意の音声を繰り返し再生することができるよう構成したことを特徴とする、ボイスペンを提供する。
本願の第２の考案は、前記ボイスペン内に設置された音声受信装置が、重要な会議や会話記録、個人記録等の音声保存機能を形成することを特徴とする、前記第１の考案のボイスペンを提供する。
本願の第３の考案は、前記光学読取装置が、予めエンコードされた網状模様図案を読み取り、前記エンコードされた網状模様図案が予めプロセッサユニットに保存され、前記光学読取装置がエンコードされた網状模様図案を読み取った後、前記プロセッサユニットが対応する同じエンコードの音声をスピーカ装置で再生し、且つ、エンコードの異なる変化を通して多種類の言語に切り換えられることを特徴とする、前記第１の考案のボイスペンを提供する。
本願の第４の考案は、前記光学読取装置が、ブルートゥース、赤外線、電磁波等、関連の信号のスキャン、受信、識別が可能なものであることを特徴とする、前記第１の考案のボイスペンを提供する。
本願の第５の考案は、前記給電装置が、ニッケル水素電池、アルカリ電池、水銀電池、ニッケルカドミウム電池、リチウム電池、リチウムポリマー電池、乾電池等、関連の電力を供給できるものであることを特徴とする、前記第１の考案のボイスペンを提供する。
本願の第６の考案は、前記接続ポートがＵＳＢコネクタであることを特徴とする、前記第１の考案のボイスペンを提供する。
【考案を実施するための最良の形態】
【０００７】
上述の目的及び効果を達するため、ここに本考案の最良の実施例を示す。
図１と図２に本考案の立体外観図と立体分解図をそれぞれ示す。
これらの図からはっきりとわかるように、ボイスペン２は主に回路板３、光学読取装置４、上外蓋５、下外蓋６から構成される。
そのうち、前記回路板３上にプロセッサユニット３１、給電装置３２、スピーカ装置３３、音源コネクタ３４、接続ポート３５、音声受信装置３６が設置される。
上外蓋５に必要な機能を選択するための複数の制御ボタン５１が設置され、下外蓋６にリセットボタン６１が設置される。
上述の給電装置３２は、ニッケル水素電池、アルカリ電池、水銀電池、ニッケルカドミウム電池、リチウム電池、リチウムポリマー電池、乾電池等、関連の電力を供給できるものとし、また、前記接続ポート３５はＵＳＢコネクタとする。
【０００８】
図２と図３に示すように、ボイスペン２の一側の光学読取装置４が網状模様図案７をスキャンするとき、網状模様図案７上のコードを回路板３上のプロセッサユニット３１に伝送する。
このときプロセッサユニット３１が網状模様図案７のエンコードに対応する音声をスピーカ装置３３で再生する。
前記ボイスペン２は少なくとも５カ国語を発することができるものとする。
【０００９】
図４と図５に示すように、ボイスペン２の一側に設けた音源コネクタ３４を介してイヤホン８を外部接続することで、ボイスペン２内に保存された音声を使用者に別の音声再生方式により提供することができる。
また、ボイスペン２は、接続ポート３５を別途設けてコネクタ９を接続することで、外部データと相互アクセスをする機能を達することができる。
【００１０】
図６に示すように、前記ボイスペン２内に設けた音声受信装置３６を用い、重要な会議や会話記録、個人記録等の音声保存機能とすることができる。
【００１１】
図７に示すように、前記ボイスペン２の下外蓋６上にリセットボタン６１を設置すると、ボイスペン２を元の設定の初期機能に戻して、ボイスペン２に保存されたすべてのデータを削除することができる。
【図面の簡単な説明】
【００１２】
【図１】従来技術よるセンサーペン付きの電子書籍の斜視図である。
【図２】本考案に係るボイスペンの斜視図である。
【図３】本考案に係るボイスペンの分解斜視図である。
【図４】本考案に係るボイスペンの第１実施例の説明図である。
【図５】本考案に係るボイスペンの第２実施例の説明図である。
【図６】本考案に係るボイスペンの第３実施例の説明図である。
【図７】本考案に係るボイスペンの第４実施例の説明図である。
【図８】本考案に係るボイスペンの第５実施例の説明図である。
【符号の説明】
【００１３】
１        電子書籍
１１      センサーペン
２        ボイスペン
３        回路板
３１      プロセッサユニット
３２      給電装置
３３      スピーカ装置
３４      音源コネクタ
３５      接続ポート
３６      音声受信装置
４        光学読取装置
５        上外蓋
５１１    制御インターフェース
６        下外蓋
６１      リセットボタン
７        網状模様図案
８        イヤホン
９        コネクタ
【図１】
0003141326.tif 000003
【図２】
0003141326.tif 000004
【図３】
0003141326.tif 000005
【図４】
0003141326.tif 000006
【図５】
0003141326.tif 000007
【図６】
0003141326.tif 000008
【図７】
0003141326.tif 000009
【図８】
0003141326.tif 000010